(57)【要約】【課題】使用済みの繰出容器を消費者が容易に分解して使用材料別に分別廃棄できるようにする。【解決手段】螺旋溝２付き外筒体１と縦孔６付き内筒体５と袴体９とを一体品とし、底ケース体１５の内側周面に装備した環部片１６を袴体９の外側周面に係合させて底ケース体１５と袴体９と内筒体５とが一体に回転し固形化粧品２１を出し入れさせるようにした。外筒体１を持って引っ張ることにより袴体９が環部片１６から外れて底ケース体１５から抜き取られ、前記一体品と底ケース体１５と蓋ケース体２２の三つに分離されることにより、これらを材料別に分別廃棄できる。【選択図】　　　図１
2004049260.tif 000002
【特許請求の範囲】
【請求項１】
螺旋溝を内側周面に有する外筒体と、縦孔を有し前記外筒体を回転可能に嵌装保持しているとともに基端に袴体を有している内筒体と、前記袴体を嵌め込み結合した底ケース体および前記外筒体にかぶせた蓋ケース体と、前記縦孔を通って前記螺旋溝に係合した突起を有し固形化粧品を保持した受皿とを具えている固形化粧品の繰出容器において、
前記底ケース体の内側周面に環部片が装備されており、前記袴体がその外側周面を前記環部片に密着係合させることにより前記底ケース体に一体に回転可能且つこれより抜き取り可能に結合されている、
ことを特徴とする固形化粧品の繰出容器。
【請求項２】
前記環部片は前記底ケース体に嵌め込んだ二つの保持筒に挟まれて固定され、且つ先端側の保持筒は前記底ケース体から突出して前記蓋ケース体を嵌装させるようにされている請求項１に記載した固形化粧品の繰出容器。
【請求項３】
前記環部片が天然ゴムで作られたＯリングである請求項１または２に記載した固形化粧品の繰出容器。
【発明の詳細な説明】
【０００１】
【発明の属する技術分野】
本発明は棒状に成形された口紅、整髪料などの固形化粧品の繰出容器、詳しくは使用済みとなったとき分別廃棄ができる繰出容器に関するものである。
【０００２】
【従来の技術】
繰出容器の多くは、固形化粧品を保持した受皿を螺旋溝に従って前後動させることにより固形化粧品を容器前方へ突出させて使用可能とし、また容器内部に後退させて収納する構造としている。
【０００３】
図３はこの種の繰出容器を概略的に示した従断面図であって、底ケース体５１の先端前方に螺旋溝５３を内側周面に設けた外筒体５２と前後方向へ延びる縦孔５５を設けた内筒体５４とを設け、固形化粧品５６を保持した受皿５７の突起５８を縦孔５５を通して螺旋溝５３に係合させている。
【０００４】
そして、蓋ケース体５９を外して外筒体５２を一方の手で押え持ち、底ケース体５１をもう一方の手で回転させることにより内筒体５４が底ケース体５１と一体に回転し、これによって突起５８を縦孔５５に挿通させた受皿５７が内筒体５４と一体に回転するとともに螺旋溝５３に従って前後方向へ移動し、固形化粧品５６の先端部を外筒体５２，内筒体５４の先端から出し入れさせる。
【０００５】
尚、内筒体５４を底ケース体５１と別体の袴体に形成することが多いが、袴体は底ケース体５１に固結されるので実質的に単一品と考えてよい。また、外筒体５２は内筒体５４に回転可能であるが分離不可にかぶせられている。従って、この繰出容器は底ケース体５１，内筒体５２，外筒体５４，受皿５７からなる部分と蓋ケース体５９との二つに分離されるが、それ以上の分離や分解は不可能である。
【０００６】
一方、前述の繰出容器は金属、合成樹脂、更には紙を材料に用いて作られ、金属または合成樹脂の単一材料のみで作ったもののほかに複数材料を用いて作ったものが多い。金属は主として高級感を重視するものに用いられ、合成樹脂は主として実用性を重視するものに用いられ、また紙は主として民芸調を強調したり外観の多様性を重視するものに用いられ、複数材料を用いる例として底ケース体５１と蓋ケース体５９を紙で作り内筒体５２，外筒体５４と受皿５７を金属または合成樹脂で作ることがある。
【０００７】
【発明が解決しようとする課題】
固形化粧品５６を使用しつくした繰出容器は廃棄されるが、その際に可燃ごみ、不燃ごみ、資源ごみに分別して廃棄することが要求され、環境保護や資源再利用などの観点から分別廃棄の規制が厳格になりつつある。
【０００８】
このような社会的趨勢を考慮すると、使用済みの繰出容器が単一材料で作られているものについてはそのまま廃棄することができるが、分別が必要な異種材料で作られているものについては分離・分解して廃棄しなければならない。
【０００９】
ところが、これ迄に提供されている繰出容器は、前述のように底ケース体５１，内筒体５２，外筒体５４が消費者では分解不可能に組立てられているので、例えば底ケース体５１と蓋ケース体５９とを紙で作り、内筒体５２および外筒体５４更には受皿５７を金属または合成樹脂で作った繰出容器の場合、底ケース体５１と内筒体５２，外筒体５４を分解することが消費者において実際上不可能であるため、分別廃棄ができないという問題がある。
【００１０】
本発明は従来の繰出容器の蓋ケース体を除いた他の部分が製造時に分解不可能に組立てられるため、分別を要する異種材料の組合せによって作られているものについては廃棄できないという事態を生じ、廃棄可能とするため単一材料で作ると多様な要求に応えることができなくなる、という問題を解決するためになされたものであって、その目的とするところは従来分解不可能であった部分を分解可能とし、従って分別廃棄ができるものとすることにある。
【００１１】
【課題を解決するための手段】
螺旋溝を内側周面に有する外筒体と、縦孔を有し外筒体を回転可能に嵌装保持しているとともに基端に袴体を有している内筒体と、袴体を嵌め込み結合した底ケース体および外筒体にかぶせた蓋ケース体と、縦孔を通って螺旋溝に係合した突起を有し固形化粧品を保持した受皿とを具えた固形化粧品の繰出容器がもっている前記課題を解決する手段として、本発明は底ケース体の内側周面に環部片を装備させ、袴体をその外側周面を環部片に密着係合させることにより底ケース体に一体に回転可能且つこれより抜き取り可能に結合されているものとした。
【００１２】
外筒体を一方の手で押え持ち、底ケース体をもう一方の手で回転させることによって内筒体が一体に回転し、縦孔と螺旋溝とによって受皿が回転しながら前後方向へ移動して固形化粧品を出し入れすることは従来の繰出容器と同じである。使用済みとなったとき、外筒体を引っ張ることにより袴体と環部片との係合が外れ、外筒体、内筒体、袴体が一体品のまま底ケース体から抜き取られる。
【００１３】
このことにより、外筒体、内筒体および袴体からなる一体品と底ケース体と蓋ケース体との三つに分離され、これらを異種材料で作っても分別廃棄をすることができ、且つ外観や価格などに対する多様な要求に応えることができる。
【００１４】
【発明の実施の形態】
図１，図２を参照して本発明の実施の形態を説明すると、内側周面に二つの螺旋溝２を１８０度の位相で設けた外筒体１と、中心軸線を挟んで対向形成した二つの縦孔６を有する内筒体５とが、内筒体５に外筒体１を嵌装し先端の内向き周突縁３を内筒体５の先端縁に重ねるとともに、外筒体１の基端部に形成した内向き環突条４を内筒体５の基端部に形成した環溝条７に密に嵌入することにより、互いに回転可能且つ前後不動に組み合わせられている。
【００１５】
内筒体５の基端部は外筒体１の基端縁から突出しており、この突出基端部８は有底円筒体からなる袴体９の周側壁１０に嵌め込まれ、縦リブの噛み合いなどの回り止め手段１３によって一体回転するように内筒体５と袴体９とが結合されている。また、周側壁１０に、環状の係止溝１１を形成することによって作られた突出基端部８への食付き部１２により内筒体５が袴体９から抜け出さないようにされている。
【００１６】
底ケース体１５は底壁１５Ａと周側壁１５Ｂとからなる有底円筒体であって、第一保持筒１７，環部片１６，第二保持筒１８を順に嵌め込んで保持している。第一保持筒１７は底壁１５Ａに重ねられ、第二保持筒１８は周側壁１５Ｂから突出しており、これらの保持筒１７，１８は周側壁１５Ｂに接着、溶着などにより固定されている。環部片１６は高分子材料、好ましくは天然ゴムで作ったＯリングが用いられており、このＯリングは保持筒１７，１８の肉厚よりも大径であってこれらの間に隙間なく挟み込まれることにより、内側方へ突出して固定されている。
【００１７】
袴体９の係止溝１１は環部片１６を密に嵌合、好ましくは少し圧縮して嵌合するように作られている。そして、袴体９を底ケース体１５に嵌め込んだとき、袴体９が二つの保持筒１７，１８に差し込まれ係止溝１１が環部片１６を嵌めて密着係合させる。この組付け状態で内向き環突条４は第二保持筒１８の内部に位置し外部から看取されない。また、このような組付け状態で外筒体１を一方の手に持ち、底ケース体１５をもう一方の手で回転させると、底ケース体１５に固定されて係止溝１１を密着係合させている環部片１６が袴体９をすべることなく一体回転させ、回り止め手段１３によって内筒体５も一体回転させられる。
【００１８】
棒状の固形化粧品２１を保持した受皿１９は内筒体５に嵌め込まれ、中心を挟んで外側方へ突出させた二つの突起２０が縦孔６を通って螺旋溝２に嵌入係合している。この受皿１９は内筒体５の回転に伴って回転しながら螺旋溝２に従って前後方向へ移動し、固形化粧品２１の先端部を内筒体５の前方へ突出させ、或いは内筒体５の内部に引き込ませるものであり、この動作は従来の繰出容器と同じである。
【００１９】
蓋ケース体２２は周側壁２２Ａが底ケース体１５の周側壁１６Ｂと同一径の円筒体であって頂壁２２Ｂを有しており、周側壁２２Ａの基端部を第二保持筒１８の突出部分に嵌装することによって外筒体１に緩くかぶせられる。
【００２０】
本実施の形態に係る繰出容器が使用済みとなって廃棄するとき、外筒体１，内筒体５，袴体９および受皿１９の組立一体品と底ケース体１５と蓋ケース体２２とが分別廃棄を必要とする異種材料で作られている場合、外筒体１と底ケース体１５とを持ってこれらを引き離す方向へ引っ張ると、環部片１６が圧縮して係止溝１１との係合が外れ、袴体９が二つの保持筒１７，１８から抜け出して底ケース体１５から抜き取られることとなる。このことにより、図２の分解図に示す三つの部分に分解されるものである。
【００２１】
本実施の形態では環部片１６を天然ゴムで作ったＯリングとしているので、消費者が力を加えて引っ張ることにより容易に圧縮し、工具を用いることなく抜き取ることができ、従って製造者による組付け作業も簡単である。また、本実施の形態では外筒体１と内筒体５とが内向き環突条４と環溝条７との嵌まり合いにより結合され、内筒体５と袴体９とが食付き部１２により結合されているので、外筒体１を持って引っ張ったときこれらが外れることなく一体品のまま抜き取ることができる。
【００２２】
更に、本実施の形態によると、底ケース体１５に二つの保持筒１７，１８を嵌め込んでそれらの間に環部片１６を挟み固定したので、環部片１６の底ケース体１５への設置が簡単に行なえるばかりか、第二保持筒１８を底ケース体１５から突出させたことにより蓋ケース体２２の取り付けに利用できるという利点がある。
【００２３】
【発明の効果】
以上のように、本発明によると外筒体、内筒体、袴体を手で引っ張るというきわめて簡単な操作で一体品のまま底ケース体から抜き取り、これらと蓋ケース体の三つに分離することができるので、これらが異種材料で作られている繰出容器が使用済みとなったとき、消費者が容易に分別廃棄することができるものである。また、このことによりさまざまな材料を用いて外観、価格などに対する多様な要求に対応できる繰出容器を提供することを可能とするものである。
【図面の簡単な説明】
【図１】本発明の実施の形態を示す従断面図。
【図２】図１に示した繰出容器の分解図。
【図３】従来例の縦断面概略図。
【符号の説明】
１　外筒体，２　螺旋溝，５　内筒体，６　縦孔，９　袴体，１１　係止溝，１５　底ケース体，１６　環部片，１７，１８　保持筒，１９　受皿，２１　固形化粧品，２２　蓋ケース体，
【図１】
2004049260.tif 000003
【図２】
2004049260.tif 000004
【図３】
2004049260.tif 000005